(57)【要約】【課題】過度の画質調整を抑制し画像形成の効率を高める。【解決手段】画像形成装置が、ユーザからの印刷指示および調整処理開始指示を、コンピュータ装置から受け付ける（ステップ２０１）。ステップ２０２の処理では、ユーザ頻度把握部が、印刷指示に含まれているユーザ情報に基づきこのユーザを把握し、さらに、このユーザの過去の調整頻度を把握する（ステップ２０２）。次いで、現状品質把握部が、最新の調整処理の実施日から現在の日までの経過日数を把握する。その後、ステップ２０６にて調整処理を行うか否かを判断する。ここで、ユーザ調整頻度により特定される日数の方が経過日数よりも大きい場合、調整処理を行わないと決定し、ユーザ調整頻度により特定される日数の方が経過日数よりも小さい場合、調整処理を行うと決定する。【選択図】図５
2015123746.tif 000002
【特許請求の範囲】
【請求項１】
画像処理を含む処理を行い、記録材への画像形成を行う画像形成手段と、
予め定められたタイミング毎の調整処理である定期調整処理を前記画像形成手段に対して行い且つユーザからの指示があった場合には当該指示に基づく調整処理であるユーザ調整処理をさらに行うとともに、ユーザによる当該指示がなされた場合において、当該画像形成手段が形成する画像の品質である画像品質の方が、当該ユーザが希望している画像の品質であるユーザ希望品質よりも優れている場合には、当該指示に基づく当該ユーザ調整処理を省略する調整手段と、
を備える画像形成システム。
【請求項２】
前記画像品質を把握する画像品質把握手段を更に備え、
前記画像品質把握手段は、前記調整手段が行った調整処理のうちの最新の調整処理がなされたときから、前記ユーザによる前記指示がなされたときまでの経過時間である調整後経過時間に基づき、前記画像品質を把握することを特徴とする請求項１に記載の画像形成システム。
【請求項３】
前記ユーザ希望品質を把握するユーザ希望品質把握手段を更に備え、
前記ユーザ希望品質把握手段は、ユーザが行う前記ユーザ調整処理の実施頻度であるユーザ実施頻度に基づき前記ユーザ希望品質を把握することを特徴とする請求項２に記載の画像形成システム。
【請求項４】
前記調整手段は、前記調整後経過時間の方が前記ユーザ実施頻度により特定される時間よりも短い場合に、前記ユーザ調整処理の前記省略を行うことを特徴とする請求項３に記載の画像形成システム。
【請求項５】
前記画像品質を把握する画像品質把握手段を更に備え、
前記画像品質把握手段は、前記調整手段が行った調整処理のうちの最新の調整処理がなされたときから、前記ユーザによる前記指示がなされたときまでに、前記画像形成手段が画像形成を行った記録材の枚数である調整後印刷枚数に基づき、前記画像品質を把握することを特徴とする請求項１に記載の画像形成システム。
【請求項６】
前記ユーザ希望品質を把握するユーザ希望品質把握手段を更に備え、
前記ユーザ希望品質把握手段は、ユーザにより行われる一の前記ユーザ調整処理がなされたときから、当該一のユーザ調整処理の次に行われる当該ユーザ調整処理がなされたときまでに、前記画像形成手段が画像形成を行った記録材の枚数である調整処理間印刷枚数に基づき、前記ユーザ希望品質を把握することを特徴とする請求項５に記載の画像形成システム。
【請求項７】
前記調整手段は、前記調整後印刷枚数の方が前記調整処理間印刷枚数よりも少ない場合に、前記ユーザ調整処理の前記省略を行うことを特徴とする請求項６に記載の画像形成システム。
【請求項８】
前記画像品質および前記ユーザ希望品質の優劣が分かるように当該画像品質についての情報および当該ユーザ希望品質についての情報を表示する表示手段を更に備えることを特徴とする請求項１乃至７の何れかに記載の画像形成システム。
【請求項９】
前記画像品質の方が前記ユーザ希望品質より優れている場合でも、前記ユーザ調整処理を行えるように構成された請求項１乃至８の何れかに記載の画像形成システム。
【請求項１０】
画像処理を含む処理を行い、記録材への画像形成を行う画像形成手段と、
予め定められたタイミング毎の調整処理である定期調整処理を前記画像形成手段に対して行い且つユーザからの指示があった場合には当該指示に基づく調整処理であるユーザ調整処理をさらに行うとともに、ユーザによる当該指示がなされた場合において、当該画像形成手段が形成する画像の品質である画像品質の方が、当該ユーザが希望している画像の品質であるユーザ希望品質よりも優れている場合には、当該指示に基づく当該ユーザ調整処理を省略する調整手段と、
を備える画像形成装置。
【請求項１１】
画像形成手段が記録材上に形成する画像の品質である画像品質を把握する画像品質把握機能と、
ユーザが希望している画像の品質であるユーザ希望品質を把握するユーザ希望品質把握機能と、
前記画像形成手段に対する調整処理であって予め定められたタイミング毎の当該調整処理である定期調整処理を調整手段に行わせ且つユーザからの指示があった場合には当該指示に基づく調整処理であるユーザ調整処理をさらに行わせるとともに、ユーザによる当該指示がなされた場合において、前記画像品質の方が前記ユーザ希望品質よりも優れている場合には、当該指示に基づく当該ユーザ調整処理を省略させる調整制御機能と、
をコンピュータに実現させるためのプログラム。
【発明の詳細な説明】
【技術分野】
【０００１】
本発明は、画像形成システム、画像形成装置、および、プログラムに関する。
【背景技術】
【０００２】
特許文献１には、自動の安定化動作回数が少なく手動の安定化動作回数が多い場合には、安定化動作の頻度レベルを増加させ、手動の安定化動作回数が少ない場合には、安定化動作の頻度レベルを減少させる技術が開示されている。
【先行技術文献】
【特許文献】
【０００３】
【特許文献１】特開２００９−３０２９４０号公報
【発明の概要】
【発明が解決しようとする課題】
【０００４】
本発明の目的は、過度の画質調整を抑制し画像形成の効率を高めることにある。
【課題を解決するための手段】
【０００５】
請求項１に記載の発明は、画像処理を含む処理を行い、記録材への画像形成を行う画像形成手段と、予め定められたタイミング毎の調整処理である定期調整処理を前記画像形成手段に対して行い且つユーザからの指示があった場合には当該指示に基づく調整処理であるユーザ調整処理をさらに行うとともに、ユーザによる当該指示がなされた場合において、当該画像形成手段が形成する画像の品質である画像品質の方が、当該ユーザが希望している画像の品質であるユーザ希望品質よりも優れている場合には、当該指示に基づく当該ユーザ調整処理を省略する調整手段と、を備える画像形成システムである。
請求項２に記載の発明は、前記画像品質を把握する画像品質把握手段を更に備え、前記画像品質把握手段は、前記調整手段が行った調整処理のうちの最新の調整処理がなされたときから、前記ユーザによる前記指示がなされたときまでの経過時間である調整後経過時間に基づき、前記画像品質を把握することを特徴とする請求項１に記載の画像形成システムである。
請求項３に記載の発明は、前記ユーザ希望品質を把握するユーザ希望品質把握手段を更に備え、前記ユーザ希望品質把握手段は、ユーザが行う前記ユーザ調整処理の実施頻度であるユーザ実施頻度に基づき前記ユーザ希望品質を把握することを特徴とする請求項２に記載の画像形成システムである。
請求項４に記載の発明は、前記調整手段は、前記調整後経過時間の方が前記ユーザ実施頻度により特定される時間よりも短い場合に、前記ユーザ調整処理の前記省略を行うことを特徴とする請求項３に記載の画像形成システムである。
請求項５に記載の発明は、前記画像品質を把握する画像品質把握手段を更に備え、前記画像品質把握手段は、前記調整手段が行った調整処理のうちの最新の調整処理がなされたときから、前記ユーザによる前記指示がなされたときまでに、前記画像形成手段が画像形成を行った記録材の枚数である調整後印刷枚数に基づき、前記画像品質を把握することを特徴とする請求項１に記載の画像形成システムである。
請求項６に記載の発明は、前記ユーザ希望品質を把握するユーザ希望品質把握手段を更に備え、前記ユーザ希望品質把握手段は、ユーザにより行われる一の前記ユーザ調整処理がなされたときから、当該一のユーザ調整処理の次に行われる当該ユーザ調整処理がなされたときまでに、前記画像形成手段が画像形成を行った記録材の枚数である調整処理間印刷枚数に基づき、前記ユーザ希望品質を把握することを特徴とする請求項５に記載の画像形成システムである。
請求項７に記載の発明は、前記調整手段は、前記調整後印刷枚数の方が前記調整処理間印刷枚数よりも少ない場合に、前記ユーザ調整処理の前記省略を行うことを特徴とする請求項６に記載の画像形成システムである。
請求項８に記載の発明は、前記画像品質および前記ユーザ希望品質の優劣が分かるように当該画像品質についての情報および当該ユーザ希望品質についての情報を表示する表示手段を更に備えることを特徴とする請求項１乃至７の何れかに記載の画像形成システムである。
請求項９に記載の発明は、前記画像品質の方が前記ユーザ希望品質より優れている場合でも、前記ユーザ調整処理を行えるように構成された請求項１乃至８の何れかに記載の画像形成システムである。
請求項１０に記載の発明は、画像処理を含む処理を行い、記録材への画像形成を行う画像形成手段と、予め定められたタイミング毎の調整処理である定期調整処理を前記画像形成手段に対して行い且つユーザからの指示があった場合には当該指示に基づく調整処理であるユーザ調整処理をさらに行うとともに、ユーザによる当該指示がなされた場合において、当該画像形成手段が形成する画像の品質である画像品質の方が、当該ユーザが希望している画像の品質であるユーザ希望品質よりも優れている場合には、当該指示に基づく当該ユーザ調整処理を省略する調整手段と、を備える画像形成装置である。
請求項１１に記載の発明は、画像形成手段が記録材上に形成する画像の品質である画像品質を把握する画像品質把握機能と、ユーザが希望している画像の品質であるユーザ希望品質を把握するユーザ希望品質把握機能と、前記画像形成手段に対する調整処理であって予め定められたタイミング毎の当該調整処理である定期調整処理を調整手段に行わせ且つユーザからの指示があった場合には当該指示に基づく調整処理であるユーザ調整処理をさらに行わせるとともに、ユーザによる当該指示がなされた場合において、前記画像品質の方が前記ユーザ希望品質よりも優れている場合には、当該指示に基づく当該ユーザ調整処理を省略させる調整制御機能と、をコンピュータに実現させるためのプログラムである。
【発明の効果】
【０００６】
本発明の請求項１によれば、過度の画質調整が抑制され画像形成の効率を高められるようになる。
本発明の請求項２によれば、画像読み取りを行うなどして画像品質を直接的に把握する場合に比べ、画像品質を簡易に把握できるようになる。
本発明の請求項３によれば、ユーザによるユーザ希望品質の入力などを必要とせずに、ユーザ希望品質を把握できるようになる。
本発明の請求項４によれば、調整処理が行われた直後など、画像品質が良い状態のときには、ユーザ調整処理が省略されるようになる。
本発明の請求項５によれば、画像読み取りを行うなどして画像品質を直接的に把握する場合に比べ、画像品質を簡易に把握できるようになる。
本発明の請求項６によれば、ユーザによるユーザ希望品質の入力などを必要とせずに、ユーザ希望品質を把握できるようになる。
本発明の請求項７によれば、調整処理が行われた直後など、画像品質が良い状態のときには、ユーザ調整処理が省略されるようになる。
本発明の請求項８によれば、ユーザが、ユーザ希望品質および画像品質の優劣を明確に把握できるようになる。
本発明の請求項９によれば、さらなる高画質化を望むユーザの利便性を高めることができる。
本発明の請求項１０によれば、過度の画質調整が抑制され画像形成の効率を高められるようになる。
本発明の請求項１１によれば、過度の画質調整が抑制され画像形成の効率を高められるようになる。
【図面の簡単な説明】
【０００７】
【図１】本実施形態の画像形成システムの全体構成を示した図である。
【図２】画像形成装置のハードウェア構成を例示したブロック図である。
【図３】画像形成装置の調整処理（調整制御）に関連する機能部のブロック図である。
【図４】画像形成装置の調整処理に関し、制御部が実行する処理の流れを示したフローチャートである。
【図５】印刷処理および調整処理が実行される際に行われる処理の流れを示した図である。
【図６】コンピュータ装置における表示例を示した図である。
【図７】画像形成システムにて実施される処理の具体例を示した図である。
【図８】画像形成システムにて実施される処理の具体例を示した図である。
【図９】画像形成システムにて実施される処理の具体例を示した図である。
【発明を実施するための形態】
【０００８】
以下、添付図面を参照して、本発明の実施の形態について詳細に説明する。
図１は、本実施形態の画像形成システムの全体構成を示した図である。
図１に示す画像形成システム１には、画像形成装置１０が設けられている。画像形成装置１０は、文書の複写機能、文書を読み取り文書の画像データを生成する機能、画像データに基づき用紙への画像形成を行う機能を備えた装置である。さらに、画像形成システム１には、ＣＰＵ（Central Processing Unit）、ＲＯＭ（Read Only Memory）、ＲＡＭ（Random Access Memory）を備えた複数台のコンピュータ装置３０が設けられている。ここで、画像形成装置１０、および、複数のコンピュータ装置３０は、通信回線４０を介し通信を行う。
【０００９】
図２は、画像形成装置１０のハードウェア構成を例示したブロック図である。
同図に示すように、画像形成装置１０の各機能部は、バス１０１に接続されており、このバス１０１を介してデータの授受を行う。
ＵＩ（User Interface）部１０７は、タッチパネル方式のディスプレイにより構成され、ユーザに対する情報の表示を行うとともに、ユーザによって入力される情報を受け付ける。なお、ＵＩ部１０７は、通常のディスプレイ（タッチパネル方式ではないディスプレイ）、および、ハードウエアキーなどによって構成してもよい。
【００１０】
画像読取部１０８は、いわゆるスキャナ装置により構成され、文書を読み取り、読み取った文書の画像データを生成する。なお、生成した画像データは画像処理部１１１へ出力される。
画像形成部１０９は、電子写真方式によって、用紙などの記録材に対して画像データに応じたトナー像を形成する。なお、画像形成部１０９では、インクジェット方式などを用いて画像を形成するようにしてもよい。
【００１１】
通信部１１０は、通信回線４０（図１参照）に接続されており、通信回線４０に接続されている他の装置と通信を行う通信インターフェースとして機能する。
画像処理部１１１は、入力される画像データに対して色補正や階調補正等の画像処理を施す。なお、画像処理が施された画像データは、画像形成部１０９などへ出力される。そして、この画像データに基づき用紙への画像形成が行われる。ここで、本実施形態の画像処理部１１１および画像形成部１０９は、記録材の一例である用紙への画像形成を行う画像形成手段として捉えることができる。
記憶部１０５は、ハードディスク装置などの記憶装置を有しており、通信部１１０が受信したデータや画像読取部１０８にて生成されたデータなどを記憶する。
【００１２】
制御部１００は、ＣＰＵ１０２、ＲＯＭ１０３、ＲＡＭ１０４を備えている。ＲＯＭ１０３は、ＣＰＵ１０２により実行される制御プログラムを記憶している。ＣＰＵ１０２は、ＲＯＭ１０３に記憶されている制御プログラムを読み出し、ＲＡＭ１０４を作業エリアにして制御プログラムを実行する。ＣＰＵ１０２により制御プログラムが実行されると、ＣＰＵ１０２により画像形成装置１０の各部が制御され、画像形成装置１０は、用紙への画像形成、文書の読み取り、他の装置と通信などを行う。
【００１３】
なお、ＣＰＵ１０２によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、インターネットなどの通信手段を用いて画像形成装置１０にダウンロードさせてもよい。
【００１４】
図３は、画像形成装置１０の調整処理（調整制御）に関連する機能部のブロック図である。なお、図３にて示す各機能部は、画像形成装置１０の制御部１００に設けられたＣＰＵ１０２が、ＲＯＭ１０３に格納された制御プログラムを実行することで実現される。
【００１５】
図３に示すように、本実施形態では、ユーザが行う画像形成装置１０の調整の頻度を、ユーザ毎に把握するユーザ頻度把握部５０１を備えている。さらに、ユーザ頻度把握部５０１により把握された、複数のユーザの調整頻度に基づき、画像形成装置１０の調整を自動で行う際の頻度を決定する自動調整頻度決定部５０２を備えている。さらに、画像形成装置１０の調整を行う調整実行部５０３、画像形成装置１０の現状の品質（現状の状態）を把握する現状品質把握部５０４を備えている。また、画像形成部１０９を制御して用紙への画像形成を行う印刷制御部５０５が設けられている。
【００１６】
図４は、画像形成装置１０の調整処理に関し、制御部１００が実行する処理の流れを示したフローチャートである。
形成される画像の質の維持のため、ユーザによって、画像形成装置１０の調整処理（ユーザ調整処理）が実行される。そして本実施形態では、ユーザにより調整処理が実行されると（ステップ１０１のＹｅｓ）、このユーザが行う調整処理の頻度が更新されるようになる（ステップ１０２）。付言すると、本実施形態では、このユーザの過去の調整頻度が記憶部１０５に記憶されており、この過去の調整頻度が新たな調整頻度に更新される。
【００１７】
付言すると、本実施形態では、ユーザ頻度把握部５０１によって、ユーザが行う調整の頻度（時間間隔）の平均値が、ユーザ毎に把握されており、調整処理がユーザによって新たに実施されると、この調整処理と前回行われた調整処理との時間間隔も含めた、新たな平均値（時間間隔）が把握（算出）される。
【００１８】
なお、調整処理は、例えば、互いに異なる色のパッチ状画像を、画像形成部１０９を用いて用紙上に形成するとともに、ユーザがこの用紙を画像読取部１０８にセットする。そして、例えば、調整手段として機能する調整実行部５０３にて、画像読取部１０８により得られた測色値（読み取りデータ）と、予め定められた目標値とが比較され、測色値が目標値に近づくような補正処理が実行される。具体的には、例えば、画像処理部１１１にて用いられている画像処理用のＬＵＴ（Look Up Table）が、新たなＬＵＴに更新される。
【００１９】
なお、ここでは、ユーザが用紙を画像読取部１０８にセットして測色値を得る場合を説明したが、画像形成部１０９内にスキャナ装置を設けておき、パッチ状画像が形成された用紙を、搬送機構を用い、このスキャナ装置に送り込むことで、測色値を取得するようにしてもよい。
【００２０】
次に、ステップ１０３の処理について説明する。
ステップ１０２にて、ユーザの調整頻度が更新されると、自動調整頻度決定部５０２にて、自動調整の頻度（時間間隔、以下、「自動調整頻度」と称することがある）が、新たな自動調整頻度（時間間隔）に更新される。付言すると、本実施形態では、自動調整頻度が記憶部１０５に記憶されているが、ステップ１０２にて、ユーザの調整頻度が更新されると、記憶部１０５に記憶されている自動調整頻度が、新たな自動調整頻度に更新されるようになる。
【００２１】
さらに、説明すると、本実施形態では、自動調整頻度決定部５０２にて決定された自動調整頻度が到来する度に、自動調整（定期調整処理）が行われるようになっているが、ステップ１０２にて、一部のユーザの調整頻度が新たな調整頻度に更新されると、自動調整頻度決定部５０２にて、この新たな調整頻度も考慮に入れた、新たな自動調整頻度が決定される。
【００２２】
より詳細には、本実施形態では、各ユーザの調整頻度の平均値を自動調整頻度としているが、一部のユーザの調整頻度が新たな調整頻度に更新されると、この新たな調整頻度も考慮に入れて、平均値を再び算出し、新たな自動調整頻度を決定する。これにより、本実施形態では、例えば、あるユーザが過去よりも頻度を上げて調整処理を行う場合には、自動調整がより頻繁に行われるようになる。
【００２３】
なお、自動調整は、ユーザによる手動の操作によって調整処理が行われる場合には、ＵＩ部１０７などを通じて、ユーザに対して、調整処理が必要である旨をユーザに通知する。これにより、ユーザによって、パッチ状画像が形成された用紙が画像読取部１０８にセットされ、測色値が取得される。そして、この測色値に基づきＬＵＴの更新などが行われる。
その一方で、画像形成部１０９内にスキャナ装置が設けられている場合には、このスキャナ装置を用いてパッチ状画像を読み取り、測色値を取得する。そして、この測色値に基づきＬＵＴの更新などを行う。
【００２４】
ここで、本実施形態では、ユーザによる調整の頻度が過去よりも多くなった場合、ユーザは、より高画質での画像形成を望んでいることが想定される。このような場合、本実施形態では、自動調整の頻度も多くなり、ユーザは、より高い質の画像を得られるようになる。
【００２５】
図５は、印刷処理および調整処理が実行される際に行われる処理の流れを示した図である。
この処理では、まず、画像形成装置１０が、ユーザからの印刷指示および調整処理開始指示を、コンピュータ装置３０から受け付ける（ステップ２０１）。
ここで、本実施形態では、印刷に際し、コンピュータ装置３０のディスプレイ上に、印刷条件を受け付けるための画面（不図示）、および、調整処理の開始指示を受け付けるための画面（不図示）が表示される。
【００２６】
そして、ユーザが印刷処理に加え調整処理を希望する場合には、調整処理を行う旨の入力がユーザによりなされ、印刷指示および調整処理開始指示がコンピュータ装置３０から画像形成装置１０へ送信される。一方、印刷のみをユーザが希望する場合には、印刷指示のみがコンピュータ装置３０から画像形成装置１０へ送信される。
【００２７】
そして、本実施形態では、印刷指示および調整処理開始指示が画像形成装置１０へ送信されてくると、ステップ２０２以降の処理が実行される。一方で、印刷指示のみが画像形成装置１０へ送信されてきた場合には、図５にて示すステップ２０２〜ステップ２０７の処理は省略され、ステップ２０８の印刷処理が実行される。付言すると、図５におけるステップ２０２以降の処理は、印刷指示に加え調整処理開始指示が画像形成装置１０へ送信されてきた場合の処理例を示している。
【００２８】
ステップ２０２以降の処理（印刷指示および調整処理開始指示があった場合の処理）を説明する。
ステップ２０２の処理では、ユーザ希望品質把握手段として機能するユーザ頻度把握部５０１が、印刷指示に含まれているユーザ情報に基づきこのユーザを把握し、さらに、記憶部１０５（図２参照）を参照し、このユーザの過去の調整頻度（以下、「ユーザ調整頻度」と称する場合がある）を把握する（ステップ２０２）。
【００２９】
なお、ユーザ調整頻度が多いほど、形成される画像の質は高くなり、ユーザ調整頻度は、実質的に、形成される画像の質に対応していると言える。付言すると、ユーザ調整頻度が多いほど、ユーザは、より品質の高い画像を望んでいるといえる。このため、ステップ２０２では、ユーザが希望している品質についての情報を取得しているともいえる。付言すると、ステップ２０２では、ユーザ調整頻度を取得しているが、ユーザ希望品質を取得しているともに言える（以下、「ユーザ調整頻度」を「ユーザ希望品質」と称することがある）。
【００３０】
次いで、画像品質把握手段として機能する現状品質把握部５０４が、最も最近に行われた調整処理（自動調整により行われた調整処理、ユーザの指示により行われた調整処理の何れかを問わない）を把握するとともに、最も最近に行われたこの調整処理の実施日から、現在の日までの経過日数（調整後経過時間）を把握する（ステップ２０３）。
【００３１】
ここで、経過日数が大きいほど、最後に調整処理（最新の調整処理）を行った日から時間が経過しており、経過日数が大きいほど、形成される画像の質が低下する。その一方で、経過日数が小さいほど、最後に調整処理を行った日から時間が経過しておらず、経過日数が小さいほど、形成される画像の質は向上する。
このため、ステップ２０３では、経過日数を把握しているが、実質的には、その時点で形成される画像の品質が把握されているといえる。以下、本明細書では、現状品質把握部５０４により把握される上記経過日数を、「現状品質」と称することがある。
【００３２】
その後、ステップ２０２にて把握されたユーザ希望品質についての情報、および、ステップ２０３にて把握された現状品質（画像品質）についての情報が、印刷指示を送信してきたコンピュータ装置３０に送信され、このコンピュータ装置３０に設けられたディスプレイ（不図示）では、図６（コンピュータ装置３０における表示例を示した図）に示す表示が行われる。具体的には、表示手段の一部として機能するこのディスプレイには、同図に示すように、ユーザ希望品質、および、現状品質が表示される（ステップ２０４）。なお、上記のとおり、ユーザ希望品質は、ユーザ調整頻度（ユーザ調整処理の実施間隔の平均値（平均日数））であり、現状品質は、最後の調整処理の日からの経過日数である。
【００３３】
なお、図６では、符号６Ａで示す箇所（図中、左端）が原点であり、ユーザ希望品質（ユーザ調整頻度）、および、現状品質（経過日数）は、この原点を基準に表示される。なお、現状品質の表示位置については、経過日数の具体的な数値に応じて変化し、例えば経過日数が０日であれば、図中、最も左側に表示され、経過日数が大きく、自動調整の実施間隔の日数に近ければ、図中、最も右側に表示される。ここで、本実施形態では、このように、ユーザ希望品質および現状品質の優劣が分かるように表示を行っており、ユーザは、ユーザ希望品質および現状品質のいずれの品質が優れているのかを認識しやすくなる。
【００３４】
図５に戻りさらに説明する。
ユーザ希望品質、現状品質の表示を行った後は、コンピュータ装置３０にて、ステップ２０５の処理が実行される。
ステップ２０５の処理では、ユーザによる条件変更があったか否かを判断する。具体的には、図６にて表示した、ユーザ希望品質（ユーザ希望品質を示す円形のマーク）を、ユーザが図中左あるいは右に移動したか否かを判断する。付言すると、本実施形態では、ユーザ希望品質（を示すマーク）を移動できるようになっており、ステップ２０５では、ユーザ希望品質が移動させられたか否かを判断する。
【００３５】
そして、ユーザ希望品質が移動した場合（ユーザ希望品質が新たな希望品質に変更された場合）には、ステップ２０４の処理が再び実行される。これにより、ユーザ希望品質が変更された後の状態で、図６に示した表示が再び行われるようになる。
【００３６】
なお、ユーザ希望品質が変更された場合、変更後のユーザ希望品質は、画像形成装置１０に送信される。そして、画像形成装置１０では、ユーザ頻度把握部５０１が、それまで記憶部に記憶されていたユーザ希望品質（ユーザ調整頻度）を、この変更後のユーザ希望品質に更新する。また、この場合、自動調整頻度決定部５０２にて、この変更後のユーザ希望品質（ユーザ調整頻度）を含めたうえで、ユーザ調整頻度の平均値を再び算出し、自動調整頻度の更新処理を行う。
【００３７】
一方、ステップ２０５にて、ユーザによる条件変更がなかったと判断された場合（ユーザ希望品質の移動がなかった場合）には、ステップ２０６の処理に進む。このステップ２０６の処理では、画像形成装置１０の調整実行部５０３にて、調整処理が必要であるか否かが判断される。
【００３８】
そして、調整処理が必要であると判断した場合、調整実行部５０３は、画像形成部１０９を動作させてパッチ状画像が形成された用紙を出力したり、ＬＵＴの更新処理を行ったりするなど、調整処理に関連した各部の制御を行い、調整処理を実行する（ステップ２０７）。一方で、ステップ２０６にて、調整処理が必要ではないと判断された場合、印刷制御部５０５が、画像形成部１０９等を制御して印刷処理を実行する（ステップ２０８）。
【００３９】
図７、図８（画像形成システム１にて実施される処理の具体例を示した図）を参照し、図５にて示した処理の具体例を説明する。
図７の符号７Ａは、上記ステップ２０４にて、コンピュータ装置３０に表示された表示画面を示した図である。
ここで、この例では、現状品質が中間くらいであり（最後の調整処理の日からの経過日数が比較的大きく）、ユーザ希望品質が高い場合（ユーザ調整頻度が多い場合）を例示している。
【００４０】
また、上記では説明を省略したが、符号７Ａで示す表示画面では、「調整実行」、および、「調整しない」という選択用ボタンが表示され、ユーザに対し、調整処理を行うか否かの問い合わせが行われる。そして、「調整実行」がユーザにより選択された場合には、調整実行が選択された旨が画像形成装置１０に送信され、画像形成装置１０に設けられた調整実行部５０３が調整処理を実行する（符号７Ｂ参照）。
ここで、図７Ａで示す表示例では、現状品質の方がユーザ希望品質よりも低くなっており、このまま印刷を行うと、ユーザは、満足した画像を得ることが難しくなる。上記「調整実行」を選択した場合、ユーザは、より質の高い画像を得られるようになる。
【００４１】
ここで、図５を参照してさらに説明すると、符号７Ａで示した表示画面における表示は、図５にて説明したステップ２０２〜ステップ２０４が実行されることで行われる。そして、符号７Ａで示した表示画面にて、「調整実行」が選択されると、ステップ２０５にて「Ｎｏ」と判断され、ステップ２０６にて「Ｙｅｓ」と判断され、そして、ステップ２０７にて、調整処理が実行される。
【００４２】
その後、本実施形態では、図７の符号７Ｃで示すように、また、図４のステップ１０２にて説明したように、ユーザ希望品質（ユーザ調整頻度）が新たなユーザ希望品質（ユーザ調整頻度）に更新される。さらに、図７では図示を省略しているが、図４におけるステップ１０３の処理が実行され、自動調整頻度も新たな自動調整頻度に更新される。
【００４３】
一方、符号７Ａで示す表示画面にて、「調整しない」がユーザにより選択された場合は、符号７Ｄで示す画面が表示される。この画面では、「指定する」、「指定しない」の２つの選択用ボタンが表示され、新しいユーザ希望品質を指定するか否かの問い合わせがユーザに対して行われる。そして、「指定する」との選択がユーザによりなされた場合には、符号７Ｅで示す画面が表示される。そして、この画面に対するユーザの操作がなされ、ユーザが希望する新たなユーザ希望品質が指定されるようになる。
【００４４】
なお、符号７Ｅで示す表示例では、現状のユーザ希望品質よりも、ユーザ希望品質を低下させることを、ユーザが望んでいる場合を例示しており、この場合、ユーザ希望品質の当初の表示位置（符号７Ａ参照）よりも図中右側に、新たなユーザ希望品質が位置するようになる。
【００４５】
その後、ユーザによって、符号７Ｅで示す画面における、「決定」ボタンが押圧される。そして、「決定」ボタンが押圧されると、新たなユーザ希望品質が、画像形成装置１０に送信され、ユーザ頻度把握部５０１にて、ユーザ希望品質（ユーザ調整頻度）が、この新たなユーザ希望品質に更新されるようになる（符号７Ｆ参照）。また、上記にて説明したように、自動調整頻度も更新される。
【００４６】
また、符号７Ｅで示す画面にて、「決定」ボタンが押圧されると、図５にて示したステップ２０５にて「Ｙｅｓ」と判断され、ステップ２０４の処理が再び実行される。これにより、新たなユーザ希望品質を反映した画面（後述する図８の符号８Ａに示すような画面）が、表示されるようになる
【００４７】
一方、符号７Ｄで示す画面や、符号７Ｅで示す画面にて、「指定しない」、「キャンセル」が選択された場合は、符号７Ｇで示す画面が表示され、ユーザに対し、調整処理がキャンセルされた旨の通知（調整処理が実行されない旨の通知）がユーザに対して行われるようになる。
【００４８】
ここで、図７にて示した例では、現状品質の方がユーザ希望品質よりも低くなっており（符号７Ａ参照）、ユーザにとっては、調整処理を行った方が好ましい状況となっている。その一方で、ユーザが印刷を急いでいる場合もあり、一律に調整処理を行ってしまうことが適当ではない場合があり得る。このため、本実施形態では、一律に調整処理を行うのではなく、ユーザに問い合わせをし、ユーザからの許可があった場合に、調整処理を行うようにしている。
【００４９】
次に、符号７Ｃで示した処理が行われた後の処理、あるいは、符号７Ｇで示した処理が行われた後の処理について説明する。符号７Ｃで示した処理が行われた後、あるいは、符号７Ｇで示した処理が行われた後は、符号７Ｈで示す処理が実行される。具体的には、コンピュータ装置３０における表示画面が、印刷を実行していることを示す画面（不図示）に切り替わり、また、画像形成装置１０の画像形成部１０９にて、印刷処理が開始される。
【００５０】
なお、符号７Ｃで示す処理が行われた後の印刷処理では、この直前に調整処理が行われているために、より高い質の画像が形成されるようになる。一方で、符号７Ｇで示す処理が行われた後の印刷処理では、調整処理が直前に行われていない状態で印刷処理が行われるようになる。
【００５１】
なお、上記印刷処理（符号７Ｈで示した印刷処理）により用紙上に形成された画像をユーザが観察した結果、この画像の質にユーザが満足しない場合がありえる。かかる場合、このユーザによって、調整処理が別途行われることがある。この場合は、図７の符号７Ｊで示す判断処理にて、「Ｙｅｓ」と判断され、符号７Ｋで示すように、また、上記にて説明したように、ユーザ希望品質の更新処理が行われる。さらに、自動調整頻度の更新処理が行われる。また、符号７Ｍに示すように、再印刷が実行される。
【００５２】
図８を参照し、他の処理例を説明する。
図７では、ユーザ希望品質の方が現状品質よりも高い場合を説明したが、ユーザ希望品質の方が現状品質よりも低い場合もあり、この場合は、例えば、符号８Ａで示す表示がなされる。なお、図７の符号７Ｅで示したように、ユーザ希望品質の変更がユーザにより行われ、符号７Ｅで示すように、ユーザ機能品質の方が現状品質よりも低くなる変更が行われた場合も、符号８Ａで示す表示が行われる。
【００５３】
また、符号８Ａにて示す画面では、「印刷」および「調整実行」のボタンも表示される。ここで、この例では、現状品質の方がよりもユーザ希望品質よりも高く、調整処理を行わないでも、ユーザは、自身が希望する品質以上の画像を得られる可能性が高い。このため、この例では、「印刷」のボタンを用意し、この「印刷」のボタンがユーザにより押された場合には、すぐに印刷が始まるようにしている（符号８Ｈ参照）。付言すると、調整処理が省略され、印刷がすぐに始まるようにしている。
【００５４】
一方で、符号８Ａで示す表示画面にて、「調整実行」がユーザにより押圧された場合には、符号８Ｂで示す画面が表示される。具体的には、新しいユーザ希望品質をユーザに問い合わせるための画面が表示される。ここで、本実施形態では、このように「調整実行」のボタンも用意しており、現状品質の方がユーザ希望品質より優れている場合でも、ユーザが希望する場合、ユーザは調整処理を行えるようになっている。
【００５５】
符号８Ｂで示す画面では、新しい希望品質を「指定する」、および、「指定しない」の二つの選択用ボタンが表示される。そして、「指定する」との選択がユーザによりなされた場合には、符号８Ｃで示す画面が表示されるようになる。そして、この符号８Ｃで示す画面に対するユーザの操作がなされ、ユーザが希望する新たなユーザ希望品質が指定される。
【００５６】
なお、符号８Ｃに示す画面では、現状品質よりもユーザ希望品質の方を良くする（より高画質化を狙う）ことを、ユーザが望んでいる場合を例示しており、現状品質よりも図中左側にユーザ希望品質が位置している。
そして、この画面における「決定」ボタンがユーザにより押圧されると、上記と同様、新たなユーザ希望品質が画像形成装置１０に送信され、画像形成装置１０のユーザ頻度把握部５０１が、ユーザ希望品質を新たなユーザ希望品質に更新する（符号８Ｄ参照）。また、自動調整頻度の更新処理も実行される。
【００５７】
なお、符号８Ｃで示す表示画面にて、ユーザにより、新たなユーザ希望品質の指定がなされると、図５にて示したステップ２０５の処理にて「Ｙｅｓ」と判断され、ステップ２０４の表示処理が行われるようになる。これにより、コンピュータ装置３０における表示画面では、図７の符号７Ａに示すような画面（ユーザ希望品質の方が現状品質よりも左側に位置する表示画面）が表示されるようになる。
【００５８】
一方、符号８Ｂで示す画面にて「指定しない」が選択された場合や、符号８Ｃで示す画面にて「キャンセル」が選択された場合は、符号８Ｅで示す画面が表示され、ユーザに対し、調整処理を実行する旨の通知がなされる。
その後、符号８Ｆで示すように、画像形成装置１０にて調整処理が実行され、また、符号８Ｇで示すように、また、上記と同様、この調整処理も考慮に入れられ、ユーザ希望品質（ユーザ調整頻度）が新たなユーザ希望品質に更新される。また、自動調整頻度の更新も行なわれる（不図示）。その後、符号８Ｈで示す印刷処理が開始される。なお、この印刷処理に際しては、上記と同様、コンピュータ装置３０における画面が、印刷を実行していることを示す画面に切り替えられる。
【００５９】
具体例を挙げてさらに説明する。
図９は、画像形成システム１にて実施される処理の具体例を示した図である。
ここで、この具体例では、同図（Ａ）に示すように、ユーザＡ、ユーザＢ、ユーザＣ、ユーザＤの４人のユーザが、画像形成装置１０を利用している場合を想定する。
【００６０】
また、この例では、同図（Ａ）に示すように、ユーザＡが、７日おきに調整処理且つ印刷を行い、ユーザＢが、３０日おきに調整処理且つ印刷を行い、ユーザＣが、１８０日おきに調整処理且つ印刷を行い、ユーザＤが、３６０日おきに調整処理且つ印刷を行う場合を例示している。なお、この場合、自動調整頻度決定部５０２により決定される自動調整の頻度（自動調整の実施間隔の日数）は、１４４日となる。
【００６１】
図９（Ｂ）は、現状品質の推移を示した図である。図９に示す例では、上記のとおり、自動調整の頻度は１４４日となり、図９（Ｂ）に示すように、「０日」、「１４４日」、「２８８日」に、自動調整が実施され、「０日」、「１４４日」、「２８８日」には、画像形成装置１０は、形成される画像の質が良い状態となる。そして、図９（Ｂ）にて図中右下に向かう矢印で示すように、時間の経過とともに画質（現状品質）は低下する。
【００６２】
ここで、ユーザＣ、ユーザＤが印刷を行う場合を想定する。
ユーザＣ、ユーザＤの印刷／調整頻度は、１８０日あるいは３６０日となっており、ユーザＣ、ユーザＤは、それほど高い品質での印刷を望んではいないと考えられる。その一方で、本実施形態では、自動調整によって「１４４日」に一回、調整が実施される。
この結果、この場合、ユーザＣ、ユーザＤの印刷／調整頻度よりも高い頻度で自動調整が実施されるようになり、ユーザＣ、ユーザＤが印刷をしようとする際、ユーザＣ、ユーザＤにとっては、画像形成装置１０の状態が良好となっている。そして、この場合、ユーザＣ、ユーザＤは、調整処理を何ら行わずに画像形成を開始できるようになる。
【００６３】
付言すると、ユーザＣ、ユーザＤが印刷をする際には、図８の符号８Ａで示す画面（現状品質の方がユーザ希望品質よりも図中左側に位置する画面）が表示されるようになり、ユーザＣ、ユーザＤは、同画面における、「印刷」ボタンを押し、印刷処理をすぐに開始できるようになる。このような場合、ユーザＣ、ユーザＤにとっては、時間を要する調整処理を回避できるようになり、ユーザＣ、ユーザＤは、より高い効率で印刷処理を行えるようになる。
【００６４】
また、この処理では、ユーザＢの調整頻度が３０日となっており、ユーザＢによる調整処理によって、画像形成装置１０の現状品質は、図９（Ｃ）に示すように高い状態で維持されるようになる。この場合、自動調整のみで画像形成装置１０の質を維持している場合に比べ、画像形成装置１０の質がより高い状態で保たれるようになる。
また、この例では、ユーザＡの調整頻度が７日となっており、ユーザＡによる調整処理によって、画像形成装置１０の質がさらに高い状態で保たれる。
【００６５】
（その他）
上記では、ユーザ希望品質や現状品質の表示処理を、ユーザが有するコンピュータ装置３０にて行った場合を一例に説明したが、ユーザ希望品質や現状品質の表示処理は、画像形成装置１０のＵＩ部１０７にて行うようにしてもよい。
【００６６】
また、画像形成装置１０の調整処理は、画像形成装置１０の管理者など、ユーザ以外の者によって行われる場合がある。この場合、この管理者はユーザとしては扱わず、ユーザ調整頻度の更新も行なわないことが好ましい。なお、この場合であっても、調整処理は行われるため、現状品質の把握時には、この調整処理も考慮に入れて現状品質を把握することが好ましい。付言すると、管理者による調整処理の日から現在の日までの経過日数を把握し、この経過日数を現状品質として把握することが好ましい。
【００６７】
また、上記では、調整処理を行うか否かの問い合わせをユーザに対して行う場合を一例に説明したが、問い合わせを行わない態様もありえる。具体的に説明すると、あるユーザが印刷を行おうとした際に、このユーザの希望品質の方が現状品質よりも良かった場合（現状品質よりも高画質を望んでいる場合）、ユーザへの問い合わせをせず、調整処理を一律に実施してもよい。また、例えば、ユーザが印刷を行おうしたした際に、このユーザの希望品質の方が現状品質よりも低い場合、ユーザへの問い合わせをせずに印刷処理を開始してもよい。
【００６８】
また、上記では、画像形成装置１０が複数のユーザにより使用される場合を一例に説明したが、上記にて説明した処理は、画像形成装置１０が一人のユーザにより使用される場合にも適用できる。この場合も、このユーザの調整頻度を上記と同様の手法（平均値を用いた手法）で把握でき、この調整頻度に基づき自動調整の頻度を決定できる。
また、上記では、自動調整の頻度（実施間隔）が、ユーザの調整頻度によって変化する場合を一例に説明したが、この自動調整の頻度は、ある特定の固定値としてもよい。
【００６９】
また、上記では、ユーザ希望品質を、ユーザの調整頻度に基づき把握したが、ユーザ調整処理間に行われた印刷の枚数に基づき、ユーザ希望品質を把握するようにしてもよい。付言すると、ユーザにより行われる一のユーザ調整処理がなされたときから、このユーザにより行われる次のユーザ調整処理がなされたときまでの、印刷枚数（このユーザにより行われた印刷の枚数）である調整処理間印刷枚数に基づき、ユーザ希望品質を把握するようにしてもよい。この場合、把握された調整処理間印刷枚数が少ない場合、ユーザは高画質を望んでいることが想定され、把握された調整処理間印刷枚数が多い場合、ユーザは高画質にこだわっていないことが想定される。
また、上記では、最も最近に行われた調整処理の実施日から、現在の日までの経過日数に基づき、現状品質を把握する場合を一例に説明したが、現状品質についても印刷枚数に基づき把握してもよい。具体的には、最新の調整処理がなされたときから現在までの印刷枚数である調整後印刷枚数に基づき、現状品質を把握するようにしてもよい。
なお、このように印刷枚数についての情報を取得する場合は、上記調整後枚数の方が上記調整処理間枚数よりも少ない場合に、調整処理の省略が行われることになる。
【００７０】
ここで、一般的に、日数と印刷枚数とは数値として一致はしないが、比例関係にある。
平均１０枚／日の印刷を行うユーザを想定した場合、日数＝１０日と、印刷枚数＝１００枚とは、同じユーザ希望品質と考えることができる。
ここで、上記では説明を省略したが、日数と印刷枚数を併用して用いることが可能であり、この場合は、ユーザ調整処理間の「日数」と「印刷枚数」の両方を記録し、ユーザー希望品質として把握することになる。
そして、この場合、いずれか一方のユーザ希望品質と現状品質とを表示することが考えられるが、この場合は、例えば、より現状品質が低い方の品質によってＵＩ表示することが好ましくなる。例えば、ユーザが平均１０枚／日で印刷する状況下で、印刷指示時の経過日数は３日だが、印刷枚数が１００枚の場合は、印刷枚数による品質表示を行い、自動調整を行うことを促す、という判断が望まれる。
【符号の説明】
【００７１】
１…画像形成システム、１０…画像形成装置、３０…コンピュータ装置、１０９…画像形成部、１１１…画像処理部、５０１…ユーザ頻度把握部、５０３…調整実行部、５０４…現状品質把握部
【図１】
2015123746.tif 000003
【図２】
2015123746.tif 000004
【図３】
2015123746.tif 000005
【図４】
2015123746.tif 000006
【図５】
2015123746.tif 000007
【図６】
2015123746.tif 000008
【図７】
2015123746.tif 000009
【図８】
2015123746.tif 000010
【図９】
2015123746.tif 000011